(57)【要約】      （修正有）【課題】ストラップをつけ替える時にイヤホンカップを耳に固定しておくことができるヘッドホンを提供する。【解決手段】ヘッドホン１００は、２つのイヤホンカップ１１０と、ストラップ本体１２０と、装飾用ストラップ１３０とを含む。ストラップ本体の２つの端部は、イヤホンカップに接続される。装飾用ストラップの２つの端部は、イヤホンカップまたはストラップ本体に着脱可能に接続され、且つイヤホンカップまたはストラップ本体に対して回転可能である。【選択図】図２
2014204428.tif 000002
【特許請求の範囲】
【請求項１】
２つのイヤホンカップと、
２つの端部が前記イヤホンカップに接続されたストラップ本体と、
２つの端部が前記イヤホンカップまたは前記ストラップ本体に対して回転可能であり、且つ前記イヤホンカップまたは前記ストラップ本体に着脱可能に接続された装飾用ストラップと
を含むヘッドホン。
【請求項２】
前記装飾用ストラップの上にロゴが記載された請求項１に記載のヘッドホン。
【請求項３】
前記各イヤホンカップまたは前記ストラップ本体の前記各２つの端部が、シャフトを有し、前記装飾用ストラップの前記２つの端部が、前記シャフトに枢接された請求項１に記載のヘッドホン。
【請求項４】
前記各シャフトが、複数の凹部を有し、前記装飾用ストラップの前記各２つの端部が、少なくとも１つのほぞを有し、前記各少なくとも１つのほぞが、前記凹部のうちの１つに留めて前記装飾用ストラップの位置を固定する請求項３に記載のヘッドホン。
【発明の詳細な説明】
【技術分野】
【０００１】
本発明は、イヤホンに関するものであり、特にヘッドホンに関するものである。
【背景技術】
【０００２】
科学技術の進歩に伴い、電子製品は全て軽量小型化の傾向に発展した。人々は、小型の電子製品を使用することが多く、電子製品によって提供される音声情報を周りの人に迷惑を掛けずに聴くためには、イヤホンが電子製品の必要アクセサリとなっている。また、イヤホンは、より優れた音声伝送をリスナーに提供するため、リスナーは、音声情報の内容を明確に聞き取り、理解することができる。空気中を伝わる不明瞭な音声伝送と比較して、イヤホンの音声伝送は、特に、リスナーが運動や運転をしている時や激しく動き回っている時、あるいは、うるさい環境にいる時場合でも、周りの影響を受けない。
【０００３】
様々な種類のイヤホンの中でも、ヘッドホンは、快適な付け心地と優れた音質を提供することができるため、ユーザーに人気の機種となっている。図１は、従来のヘッドホンの概略図である。図１を参照すると、米国特開第２０１１／０２３５８１９号において、２つのイヤホンカップ１２とストラップ１４を含むヘッドホン１０が提供されている。ストラップ１４の２つの端部は、それぞれ、フッキングクランプ１４Ａを有する。フッキングクランプ１４Ａを使用することによって、ストラップ１４の２つの端部は、２つのイヤホンカップ１２を着脱可能に引っ掛けることができる。そのため、ユーザーは、好みや必要に応じて、ストラップ１４を変更することができる。しかしながら、ユーザーがストラップ１４を取り外してつけ替える時にストラップ１４がはずれると、ユーザーは、イヤホンカップ１２を耳に固定しておくことができないため、使用中にユーザーに不便が生じる。
【発明の概要】
【発明が解決しようとする課題】
【０００４】
本発明は、ユーザーがストラップを取り外してつけ替える時にユーザーがイヤホンカップを耳に固定しておくことができないという問題を解決することのできるヘッドホンを提供する。
【課題を解決するための手段】
【０００５】
本発明のヘッドホンは、２つのイヤホンカップと、ストラップ本体と、装飾用ストラップとを含む。ストラップ本体の２つの端部は、２つのイヤホンカップに接続される。装飾用ストラップの２つの端部は、２つのイヤホンカップまたはストラップ本体に対して回転可能であり、且つ２つのイヤホンカップまたはストラップ本体に着脱可能に接続される。
【０００６】
本発明の１つの実施形態において、装飾用ストラップにロゴが記載される。
【０００７】
本発明の１つの実施形態において、各イヤホンカップまたはストラップ本体の各２つの端部は、シャフトを有し、装飾用ストラップの２つの端部は、シャフトに枢接される。
【０００８】
本発明の１つの実施形態において、各シャフトは、複数の凹部を有し、装飾用ストラップの各２つの端部は、少なくとも１つのほぞ（tenon）を有する。各少なくとも１つのほぞは、凹部の１つに留めて装飾用ストラップの位置を固定するために使用される。
【発明の効果】
【０００９】
以上のように、本発明のヘッドホンは、ユーザーの頭に固定されるストラップ本体と、回転・着脱可能な装飾用ストラップとを有するため、ヘッドホンは、応用性と美しい外観の両方を兼ね備える。
【００１０】
本発明の上記および他の目的、特徴、および利点をより分かり易くするため、図面と併せた幾つかの実施形態を以下に説明する。
【図面の簡単な説明】
【００１１】
【図１】従来のヘッドホンの概略図である。
【図２】本発明の１つの実施形態に係るヘッドホンの斜視図である。
【図３】図２のヘッドホンを別の角度から示した概略的部分展開図である。
【図４】本発明の別の実施形態に係るヘッドホンの概略図である。
【発明を実施するための形態】
【００１２】
図２は、本発明の１つの実施形態に係るヘッドホンの斜視図である。図２を参照すると、本実施形態のヘッドホン１００は、２つのイヤホンカップ１１０と、ストラップ本体１２０と、装飾用ストラップ１３０とを含む。ストラップ本体１２０の２つの端部は、２つのイヤホンカップ１１０に接続される。詳しく説明すると、ストラップ本体１２０およびイヤホンカップ１１０は、固定されているように接続されるため、ストラップ本体１２０を取り外した後にストラップ本体１２０がなくなるという問題が発生しない。そのため、ストラップ本体１２０は、適切なサポートを提供することができるため、２つのイヤホンカップ１１０をユーザーの耳に付けたまま音を提供する。もちろん、必要であれば、ストラップ本体１２０と装飾用ストラップ１１０は、回転または移動が可能な設計を採用してもよい。また、２つのイヤホンカップ１１０は、２つの音源ワイヤ（図示せず）を介して、音源装置に接続される。あるいは、１つのイヤホンカップ１１０が１つの音源ワイヤ１４０を介して音源装置に接続された後、ストラップ本体１２０を介して別のイヤホンカップ１１０に音声信号が送信される。
【００１３】
装飾用ストラップ１３０の２つの端部は、イヤホンカップ１１０に対して回転可能であり、且つイヤホンカップ１１０に着脱可能に接続される。そのため、ユーザーは、装飾用ストラップ１３０を回転させ、頭の後ろやおでこなど好きな所にセットすることができる。また、ユーザーは、状況や気分によって、異なる装飾用ストラップに変更することができるため、装飾用ストラップ１３０は、個人のスタイルの一部となり、本実施形態のヘッドホン１００の商用価値を大幅に上げることができる。装飾用ストラップ１３０の上には、ロゴ１３２や、他の文字、写真、絵等を記載してもよい。さらに、装飾用ストラップ１３０は、弾性に優れた材料で製造される。したがって、装飾用ストラップ１３０と２つのイヤホンカップ１１０を接続した時、装飾用ストラップ１３０が強度を提供して、イヤホンカップ１１０がユーザーの耳にしっかりと押し当てられるため、より良い音質を提供することができる。
【００１４】
図３は、図２のヘッドホンを別の角度から示した概略的部分展開図である。本実施形態のイヤホンカップ１１０は、円盤状であり、装飾用ストラップ１３０は、イヤホンカップ１１０の円周方向Ａ１０に沿って回転する。例えば、イヤホンカップ１１０は、シャフト１１２を有し、装飾用ストラップ１３０の２つの端部は、２つのイヤホンカップ１１０のシャフト１１２に枢接される。つまり、装飾用ストラップ１３０の２つの端部は、２つのシャフト１１２に回転可能に接続される。詳しく説明すると、本実施形態において、シャフト１１２は、環状溝１１２Ａを提供する。装飾用ストラップ１３０の各２つの端部は、Ｃ形状の掛止部１３４を有する。掛止部１３４は、弾性材料で作られ、シャフト１１２の環状溝１１２Ａに掛止されるよう変形可能である。また、掛止部１３４は、環状溝１１２Ａに掛止された後でも、イヤホンカップ１１０に対してイヤホンカップ１１０の円周方向Ａ１０に沿って回転することができ、掛止部１３４をイヤホンカップ１１０から分離させるのに一定量の力を必要とする。さらに、各シャフト１１２の環状溝１１２Ａは、複数の凹部１１２Ｂを有する設計であってもよく、装飾用ストラップ１３０の２つの端部の掛止部１３４は、少なくとも１つのほぞ１３６を有する。各ほぞ１３６は、凹部１１２Ｂの１つに留めるために使用され、ほぞ１３６と凹部１１２Ｂ間の座屈力（buckling force）により、イヤホンカップ１１０に対して装飾用ストラップ１３０の位置を適切に固定することができるため、装飾用ストラップ１３０が勝手に回転してユーザーに不便が生じるのを回避することができる。また、ユーザーは、ほぞ１３６を任意の凹部１１２Ｂに選択的に掛止させ、任意の位置に装飾用ストラップ１３０を固定することができる。このような設計により、装飾用ストラップ１３０の２つの端部は、イヤホンカップ１１０に対して回転可能であり、且つイヤホンカップ１１０に着脱可能に接続される。
【００１５】
上述した掛止部１３４とシャフト１１２の環状溝１１２Ａの設置は単なる例であるため、装飾用ストラップ１３０がイヤホンカップ１１０に回転・着脱可能に接続されている限り、他の設計も本発明のヘッドホンに適用することができる。
【００１６】
以下に、別の実施形態について説明する。言及すべきこととして、本実施形態において、類似する構成要素には上記の実施形態と同じ参照符号を使用し、関連する技術特徴については上記の実施形態の内容を参照することができるため、ここでは繰り返し説明しない。また、本セクションの詳細な説明は、本発明の上記の実施形態を参照することができるため、ここでは説明を省略する。
【００１７】
図４は、本発明の別の実施形態に係るヘッドホンの概略図である。図４を参照すると、ヘッドホン２００は、図２のヘッドホン１００と類似し、相違点は、本実施形態において、装飾用ストラップ１３０の２つの端部がストラップ本体２２０に対して回転可能であり、且つストラップ本体２２０に着脱可能に接続されていることであり、例えば、ストラップ本体２２０の２つの端部の２つのシャフト２２２に枢接されている。図２のヘッドホン１００と同様に、本実施形態のヘッドホン２００の装飾用ストラップ１３０を回転させて任意の位置に置くことができ、ユーザーは、状況や気分によって異なる装飾用ストラップ１３０に変更することができるため、装飾用ストラップ１３０は、個人のスタイルの一部となることができる。
【００１８】
以上のように、本発明のヘッドホンの装飾用ストラップは、イヤホンカップに対して回転可能であり、且つイヤホンカップに着脱可能に接続されるため、ユーザーが付け心地のよい位置に置き換えて、回転させることができる。さらに、本発明のヘッドホンは、ヘッドホン全体をユーザーの頭に固定するための着脱できないストラップ本体を維持し、応用性と美しい外観の両方を兼ね備える。
【００１９】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００２０】
本発明は、音声を提供する装置に適用することのできるヘッドホンに関するものである。
【符号の説明】
【００２１】
１０  先行技術のヘッドホン
１２  イヤホンカップ
１４  ストラップ
１４Ａ  フッキングクランプ
１００、２００  ヘッドホン
１１０  イヤホンカップ
１１２、２２２  シャフト
１１２Ａ  環状溝
１１２Ｂ  凹部
１２０、２２０  ストラップ本体
１３０  装飾用ストラップ
１３２  ロゴ
１３４  掛止部
１３６  ほぞ
１４０  音源ワイヤ
【図１】
2014204428.tif 000003
【図２】
2014204428.tif 000004
【図３】
2014204428.tif 000005
【図４】
2014204428.tif 000006
【外国語明細書】
2014204428000001.pdf